(57)【要約】  【課題】    建設工事現場等の高所で作業を行なう際に、作業者の墜落を防止する安全帯や安全ロープの先端に連結する安全フックに関するものであって、従来の構成のものにみられた使用勝手の悪さを解消するとともに、安全帯や安全ロープの装着や取り外しを手際良く迅速に行ない得るようにしようとするものである。  【解決手段】  工事現場等に敷設される単管等に掛け止める鈎部の下方開口部に、開閉バーを揺動可能な状態にして取り付け、開閉レバーの外側縁部を、開閉レバーの取り付け基部側から先端側に向けて湾曲状あるいは屈曲状となる凹部を形成したことを特徴とする安全帯や安全ロープの先端に連結する安全フック。【選択図】    図１
2007117573.tif 000002
【特許請求の範囲】
【請求項１】
工事現場等に敷設される単管１５等に掛け止める鈎部２の下方開口部７に、開閉バー３を揺動可能な状態にして取り付けた構成の安全フックにあって、開閉バー３の外側縁部に、開閉バー３の取り付け基部側から先端側に向けて湾曲状あるいは屈曲状となる凹部６を形成したことを特徴とする安全フック。
【発明の詳細な説明】
【技術分野】
【０００１】
この発明は、建設工事現場等の高所で作業を行なう際に、作業者の墜落を防止する安全帯や安全ロープの先端に連結する安全フックに関するものである。
【背景技術】
【０００２】
安全帯や安全ロープにあって、ベルトやロープの先端に連結される安全フックは、図４に示すように、工事現場等に敷設される単管１５（直径  センチメートルの鉄製パイプ）等に掛け止め得るように形成した鈎部１２の下方開口部に、開閉バー１３を揺動可能な状態にして取り付け、開閉バー１３の揺動を、鈎部１２の背側に取り付けたロックレバー１４によって行なうように形成した構成となっているのが一般的である。
【０００３】
従来一般的に使用されているこのような安全フックにおける鈎部１２は、建設現場等の足場として使用されることの多い単管１５を差し入れ得るフトコロを有するとともに、単管１５への掛け止めや取り外しを手早く行なえるようにするために、鈎部１２の先端が斜め下方方向を向いた形となるようにして開口部を形成した構成となっており、また、開口部には、基部側から先端に向けて直線状に延出した構成の開閉バー１３を揺動可能な状態にして配置させた構成となっており、単管１５に掛け止めたり、取り外したりする場合には、図５に示すとおり、開閉バー１３の外縁部に４本の指を掛けてバネ付勢された開閉バー１３を引き寄せるという操作によって行なう構成となっているのである。
【０００４】
しかし、基部側から先端に向けて一直線状に延びた開閉バー１３に４本の指先を掛けて引き寄せる場合、指を手一杯に広げて操作しなければならず、引き寄せる際に指先が下方側に滑り落ちるような状態となり、非常に操作し難くいだけでなく、外縁部が直線状となった開閉バー１３に４本の指先を掛けて引き寄せた場合、図５に示すように、４本の指先が開閉バー１３の外側に大きく張り出した状態となり、単管１５に装着させたり、取り外したりする際に、指先が単管１５に接触してスムーズな装着や取り外し操作が出来ず、場合によっては、開閉バー１３を開いた状態にして指を移動させなければならず、迅速な作業の妨げとなるのである。
【発明の開示】
【発明が解決しようとする課題】
【０００５】
この発明は、建設工事現場等の高所で作業を行なう際に、作業者の墜落を防止する安全帯や安全ロープの先端に連結する安全フックに関するものであって、従来の構成のものにみられた使用勝手の悪さを解消するとともに、安全帯や安全ロープの装着や取り外しを手際良く迅速に行なえるようにしようとするものである。
【課題を解決するための手段】
【０００６】
安全帯や安全ロープの先端に連結する安全フックにあって、工事現場等に敷設される単管等に掛け止める鈎部の下方開口部に、開閉バーを揺動可能な状態にして取り付け、開閉レバーの外側縁部を、開閉レバーの取り付け基部側から先端側に向けて湾曲状あるいは屈曲状となるよう形成したことを特徴とするものである。
【発明の効果】
【０００７】
この発明に係る安全帯や安全ロープの先端に連結する安全フック本体１は、上記のような構成であって、安全フック本体１を単管１５に掛け止めたり、取り外したりする場合、開閉バー３の湾曲部や屈折部に指先を掛けて操作できるため、従来のもののように指を手一杯広げて握る必要がないため、非常に握り易く、また、握った際に指が下方側に向って滑り落ちるということがなくなり、単管１５への装着や取り外しを手際よく迅速に行ない得るという利点があるのである。
【０００８】
また、開閉バー３に指先を掛けて握った場合、図３に示すように、指先が開閉バー３に形成された湾曲部や屈折部に沈み込んだ状態となるため、単管１５への装着や取り外しの際、指先が単管１５に接触するようなことがなく、単管１５への装着や取り外しを手際よく迅速に行ない得るという利点があるのである。ちなみに、従来一般的に使用されている安全フックを使用した場合、図５に示すとおり、４本の指先が開閉バー１３の外側に大きく張り出した状態となり、単管１５に装着させたり、取り外したりする際に、指先が単管１５に接触してスムーズな装着や取り外し操作が出来ず、場合によっては、開閉バー１３を開いた状態にして指を移動させなければならないという欠点があるのであるが、この発明に係る安全フック本体１にあっては、そのよう不便さを全て解消し得るという利点があるのである。
【実施例】
【０００９】
図面に基づいて、この発明の実施例を説明すると、安全フック本体１は、鉤部２、開閉バー３、安全レバー４とからなり、鉤部２の下方開口部７に、開閉バー３を揺動可能な状態にして取り付けるとともに、開閉バー３の開口作動を鈎部２の背側に揺動自在の状態で取り付けた安全レバー４によって制御する構成となっているのである。
【００１０】
すなわち、鈎部２は、建設現場等で足場の構成部材として使用されることの多い単管１５に掛け止め装着させ得るフトコロ部を有するとともに、斜め下方側から単管１５を挿入させる開口部７が形成されており、また、下方端部には、安全ベルトや安全ロープを連結させるための孔５が形成された構成となっているのである。
【００１１】
開閉バー３は、鉤部２に形成した下方開口部７に、差し渡し状にして配置させ得る長さに設定されており、開閉バー３の外側縁部には、基部側から先端側に向けて湾曲状あるは屈曲状になる凹部６が形成されており、開閉バー３の外側縁部指先を掛けた場合、指先がその凹部６に沈み込む構成となっており、その基部側に形成した孔と、鉤部２の開口部７の基部側に形成した孔とを一致区させた状態とするととにも、バネを組み込んで軸ピン１１を差し入れることによって、鉤部２に対して揺動可能な状態として取り付けられ、常時はバネによって、鉤部２の開口部７を閉鎖した状態となるように構成されているのである。
【００１２】
また、開閉バー３は、その後端部が鉤部２の背縁部に達する腕部が形成されており、腕部には、後端部が屈折した長孔１０が形成された構成となっているのである。
【００１３】
安全レバー４は、鉤部２の背側に位置させるとともに、その上端部付近に形成した孔と、鉤部２の中程位置に形成した孔とを一致させた状態とするとともに、バネを組み込んで軸ピン８を差し入れることによって、鉤部２に対して揺動可能な状態にして取り付けられ、常時はバネによって、鉤部２の背部外側方向に付勢された構成となっているのである。
【００１４】
また、安全レバー４は、その下方側に軸ピン９が取り付けられた構成となっており、図１に示すとおり、該軸ピン９は、常時は開閉レバー３に形成した長孔１０の後方屈折部分に入り込み、開閉バー３をロック状態にする一方、使用に際して安全レバー４を握り締めた場合、図２に示すとおり、軸ピン９が屈折部分から外れて長孔１０の円弧部分に移行し、それによって、開閉バー３のロック状態が解除されて、開閉バー３を開け得る構成となっているのである。
【図面の簡単な説明】
【００１５】
【図１】安全フックを示す正面図である。
【図２】開閉バーを開けた状態を示す正面図である。
【図３】開閉バーの操作状態を示す正面図である。
【図４】従来の安全フックの構成示す正面図である。
【図５】従来の安全フックの操作状態を示す正面図である。
【符号の説明】
【００１６】
１    安全フック本体
２    鉤部
３    開閉バー
４    安全レバー
６    凹部
１５    単管
【図１】
2007117573.tif 000003
【図２】
2007117573.tif 000004
【図３】
2007117573.tif 000005
【図４】
2007117573.tif 000006
【図５】
2007117573.tif 000007